(57)【特許請求の範囲】
【請求項１】
長手方向に沿って略均一な幅寸法の開口溝を有するダクト本体内に給電用の１乃至複数の導体を配設した配線ダクトに上記開口溝の長手方向に沿った任意位置で着脱自在に取り付けられる配線ダクト用プラグであって、配線ダクトの上記開口溝に少なくとも一部が挿入されるプラグ本体と、該プラグ本体に設けられ上記導体に接触導通する接触子と、上記開口溝からダクト本体内に挿入されて該ダクト本体の開口溝縁近傍に係脱自在に係合してプラグ本体をダクト本体に取り付ける取付板とを備え、該取付板が何れかの内角が鋭角となる略平行四辺形の板状に形成され、上記開口溝への挿入方向と略直交する平面内で９０度未満の範囲にて回動自在に上記プラグ本体に設けられた回動軸に軸着されるとともに、該回動軸を回動操作するための取付板操作レバーがプラグ本体の側面に設けられたスライド溝からスライド移動自在に突出されたことを特徴とする配線ダクト用プラグ。
【請求項２】
上記取付板は、上記ダクト本体への係合状態で該ダクト本体の内側面に一辺が当接することを特徴とする配線ダクト用プラグ。
【発明の詳細な説明】
【０００１】
【発明の属する技術分野】
本発明は、配線ダクトの長手方向に沿った任意位置で着脱自在に取り付けられる配線ダクト用プラグに関するものである。
【０００２】
【従来の技術】
従来、長手方向に沿って対向するダクト本体の両内側面に一対の導体を敷設するとともに底面に長手方向に沿って略均一な幅寸法の開口溝を設けた配線ダクトに、上記開口溝の長手方向に沿った任意位置で着脱自在に取り付けられる配線ダクト用プラグが提供されている（例えば、特開昭５７−１７２６６９号公報又は実開昭５９‐９０３７６号公報等参照）。
【０００３】
上記配線ダクト用プラグは、図９（ａ）に示すように配線ダクト３０の開口溝３２と略等しい幅寸法に形成された略長方形板状の取付板５０と、配線ダクト３０の導体（図示せず）に接触導通する短冊形の接触子（栓刃）５１とがプラグ本体（図示せず）に一体的に回動自在に軸着されている。そして、取付板５０及び栓刃５１が軸着されているプラグ本体の一部を開口溝３２からダクト本体３１内に挿入し、取付板５０並びに栓刃５１を略９０度回動させることで、取付板５０が開口溝３２の開口縁近傍に係合してプラグ本体がダクト本体３１に取りつけられるとともに、栓刃５１の両端部がそれぞれダクト本体３１の両内側面に敷設されている導体に接触導通することになる。
【０００４】
而して、プラグ本体には、例えばスポットライトのような照明器具が取り付けられ、配線ダクト３０の導体からプラグを介して照明器具に給電することができるものである。
【０００５】
【発明が解決しようとする課題】
ところが、取付板５０の幅寸法はダクト本体３１の開口溝３２の幅寸法以下でなければならないから、上記従来例のように取付板５０の形状が略長方形であると開口溝３２の開口縁近傍に係合する面積が限られてしまい、十分な取付保持力が得られないという問題があった。つまり、上記従来例では配線ダクト３０に対してプラグの取付保持力が十分でないために、重量の大きな照明器具を取り付けることができるほどの耐荷重が得られなかった。
【０００６】
本発明は上記問題点の解決を目的とするものであり、配線ダクトに対する取付保持力を大きくして耐荷重性能を向上させることが可能な配線ダクト用プラグを提供しようとするものである。
【０００７】
【課題を解決するための手段】
本発明では、上記目的を達成するために、長手方向に沿って略均一な幅寸法の開口溝を有するダクト本体内に給電用の１乃至複数の導体を配設した配線ダクトに上記開口溝の長手方向に沿った任意位置で着脱自在に取り付けられる配線ダクト用プラグであって、配線ダクトの上記開口溝に少なくとも一部が挿入されるプラグ本体と、該プラグ本体に設けられ上記導体に接触導通する接触子と、上記開口溝からダクト本体内に挿入されて該ダクト本体の開口溝縁近傍に係脱自在に係合してプラグ本体をダクト本体に取り付ける取付板とを備え、該取付板が何れかの内角が鋭角となる略平行四辺形の板状に形成され、上記開口溝への挿入方向と略直交する平面内で９０度未満の範囲にて回動自在に上記プラグ本体に設けられた回動軸に軸着されるとともに、該回動軸を回動操作するための取付板操作レバーがプラグ本体の側面に設けられたスライド溝からスライド移動自在に突出されたことを特徴とし、従来例のような略長方形の取付板と比較して、ダクト本体の開口溝縁近傍に係合する取付板の面積を増大させることができ、ダクト本体に対する取付保持力を大きくして耐荷重性能を向上させることが可能となる。また、取付板を係合させるための取付板操作レバーの回動角度が９０度未満で済むために従来例よりも操作性の向上が図れる。
【０００８】
なお、請求項２の発明のように、上記取付板が、上記ダクト本体への係合状態で該ダクト本体の内側面に一辺が当接するようにすれば、ダクト本体の開口溝縁近傍に係合する取付板の面積をさらに増大させて耐荷重性能をより向上させることができる。
【０００９】
【発明の実施の形態】
（実施形態１）
図１〜図６を参照して本発明の実施形態１を詳細に説明する。
【００１０】
配線ダクト３０は、図６に示すように天井面（図示せず）に配設されて長手方向の任意位置に本発明に係る配線ダクト用プラグ１によって照明器具４０が取りつけられる、いわゆるライティングダクトである。
【００１１】
ダクト本体３１は略角筒状に形成されており、下面略中央に長手方向に沿って略均一な幅寸法を有する開口溝３２が設けてある。また、図１に示すようにダクト本体３１の両内側面には長手方向に沿って突台３４がそれぞれ突設されており、この突台３４の先端部分に給電用の平角導体３３が敷設されている。さらに、ダクト本体３１の開口溝３２と対向する内側天面略中央には接地用の平角導体３５が長手方向に沿って敷設されている。なお、ダクト本体３１の下面端部には、後述するように配線ダクト３０に対する配線ダクト用プラグ（以下、単に「プラグ」という）１の取付方向を規制するための突条片３６が突設されている。
【００１２】
プラグ１は、図６に示すように下部に照明器具４０が取り付けられ、上部で配線ダクト３０に着脱自在に取り付けられて配線ダクト３０内に敷設されている平角導体３３，３３を介して照明器具４０に給電するものである。
【００１３】
図２に示すように、プラグ本体２は合成樹脂により略箱形に形成されており、配線ダクト３０の開口溝３２に挿入される挿入部２ａが上面に突設されている。この挿入部２ａには長手方向に沿った両側面に開口する第１及び第２のスリット５，６が形成されている。また、挿入部２ａの上面には配線ダクト３０の接地用の平角導体３５と接触導通するアース電極１３が突設してある（図１及び図２参照）。
【００１４】
第１のスリット５内には取付板３が回動自在に軸着されている。すなわち、回動軸（図示せず）が取付板３の略中心に固定され、この回動軸を回動操作するための取付板操作レバー７がプラグ本体２の側面に設けたスライド溝８からスライド移動自在に突出させてあり、取付板操作レバー７を操作することで回動軸を回動し、この回動によって取付板３の両端部が第１のスリット５から進退自在に突出するようになっている（図３及び図４参照）。
【００１５】
一方、第２のスリット６内には係止片９並びに係止片９と一体的に回動する一対の栓刃４が回動自在に軸着されている。すなわち、回動軸（図示せず）が係止片９の略中央に固定され、この回動軸を回動操作するための栓刃操作レバー１１がプラグ本体２の側面に設けたスライド溝１２からスライド移動自在に突出させてあり、栓刃操作レバー１１を操作することで回動軸を回動し、この回動によって栓刃４及び係止片９の両端部が第２のスリット６から進退自在に突出するようになっている。
【００１６】
金属製の取付板３は、図１に示すように何れかの内角が鋭角（＝θ）となる略平行四辺形の板状に形成され、上述の如く略中心で回動軸に軸着されており、ダクト本体３１の開口溝３２内に挿入部２ａを挿入する方向と略直交する平面内で回動自在になっている。なお、取付板３の高さ寸法は開口溝３２の幅寸法よりも大きくない適当な寸法に設定してある。而して、取付板３の長手方向を開口溝３２の長手方向に略一致させれば、図３に示すように取付板３が挿入部２ａの第１のスリット５内にほぼ完全に収納される。そして、挿入部２ａを開口溝３２内に挿入した状態で取付板操作レバー７を操作すれば、取付板３が回動して第１のスリット５から取付板３の両端部が進出し、図１（ａ）に示すようにダクト本体３１の開口溝縁近傍３２ａに取付板３の上記両端部が係合する。
【００１７】
ところで、プラグ１の取付保持力（耐荷重）は、ダクト本体３１の開口溝縁近傍３２ａに係合する取付板３の端部の面積（以下、「係合面積」という）が大きいほど大きくなることは明らかである。そこで、取付板３を何れかの内角が鋭角である略平行四辺形とすることにより、従来例のように取付板５０が略長方形である場合に比較して、取付板３の係合面積を増大させることができる。つまり、従来例のように略長方形の取付板５０では開口溝３２の幅寸法Ａ以下の幅寸法しかとれないが、本実施形態のように略平行四辺形の取付板３においては、図５に示すように係合時の配線ダクト３０の長手方向に沿った幅寸法Ｃを開口溝３２の幅寸法Ａよりも大きくとることができ、その結果、取付板３の係合面積を従来例よりも増大して耐荷重性能を向上させることができるのである。
【００１８】
また、取付板３の両端部を開口溝縁近傍３２ａに係合させるために、従来例では取付板５０を略９０度回動させる必要があったが、本実施形態では９０度未満の角度（取付板３の鋭角θに略等しい角度）だけ取付板３を回動すればよく、従来例に比較して取付板３の回動範囲が狭くなり、取付板操作レバー７の操作範囲を狭くすることができて操作性の向上が図れるという利点がある。さらに、図５に示すように係合状態における取付板３の両端部間の距離Ｄを従来例に比較して大きくとることができるから、プラグ１に長手方向（図６中矢印▲１▼の方向）のモーメントがはたらいた場合にプラグ１のがたつきを抑えることができる。
【００１９】
ところで本実施形態においては、取付板操作レバー７と栓刃操作レバー１１とは図示しないリンク機構によって操作手順が規制されている。つまり、図３に示すような非取付状態（取付板３を第１のスリット５内に収納し、栓刃４及び係止片９を第２のスリット６内に収納した状態）では、取付板操作レバー７を操作して図４に示すように取付板３の両端部を第１のスリット５から進出させてからでないと栓刃操作レバー１１を操作することができないようになっている。よって、図４に示すように取付板３にてプラグ１を配線ダクト３０に係合し且つ栓刃４を平角導体３３に接触させずに給電を停止した状態で、配線ダクト３０の開口溝３２に沿ってプラグ１を自由に移動させることができ、配線プラグ３０の長手方向における所望の位置で栓刃操作レバー１１を操作して栓刃４を平角導体３３に接触導通させるとともに係止片９を開口溝縁近傍３２ａに係止すれば、プラグ１を配線ダクト３０に固定し且つプラグ１に取り付けた照明器具４０に給電することができる。
【００２０】
一方、プラグ１を配線ダクト３０に取り付けた状態では、先に栓刃操作レバー１１を操作して栓刃４を平角導体３３から離してからでなければ、取付板操作レバー７を操作することができないようになっており、照明器具４０の重量が大きい場合に先に取付板３の係合が外れて、係止片９に過度の荷重がかかってしまうのを防止することができるようになっている。
【００２１】
なお、プラグ本体２の長手方向に沿った一方の側縁には、ダクト本体３１の下面端部に突設された突条片３６と凹凸係合する係合段部１４が形成されている。而して、プラグ１は係合段部１４にダクト本体３１の突条片３６が係合する方向にのみ取り付けることができ、これによって配線ダクト３０に対するプラグ１の取付方向を規制して、２つの平角導体３３の電圧側と接地側に照明器具４０の接続方向を合わせることができるようにしてある。
【００２２】
（実施形態２）
図７に本発明の実施形態２を示す。但し、本実施形態の基本的な構成は実施形態１と共通であるから、共通する部分については同一の符号を付して説明を省略し、本実施形態の特徴となる構成についてのみ説明する。
【００２３】
本実施形態は、図７に示すように係合状態において取付板３の短い方の両辺がダクト本体３１の内側面に当接するような寸法に取付板３を形成した点に特徴がある。
【００２４】
而して、実施形態１では係合状態で取付板３の短い方の両辺とダクト本体３１の内側面との間に隙間が生じているが、本実施形態では上記両辺をそれぞれダクト本体３１の内側面に当接させているので、配線ダクト３０の内側幅寸法Ｂ（図５参照）を最大限に使って取付板３の係合面積を増大させることができ、実施形態１よりもさらに耐荷重性能を向上させることができるという利点がある。なお、上記両辺をそれぞれダクト本体３１の内側面に当接させていることにより、プラグ１に短幅方向（図６中矢印▲２▼の方向）のモーメントがはたらいた場合にプラグ１のがたつきを抑えることができる。
【００２５】
（実施形態３）
図８に本発明の実施形態３を示す。但し、本実施形態の基本的な構成は実施形態１と共通であるから、共通する部分については同一の符号を付して説明を省略し、本実施形態の特徴となる構成についてのみ説明する。
【００２６】
本実施形態は、図８に示すように取付板３と栓刃４とを同一の回動軸（図示せず）に軸着して一体的に回動するようにした点に特徴がある。
【００２７】
ここで、取付板３をプラグ本体２の挿入部２ａ内に収納した状態で、図８（ａ）に示すように配線ダクト３０の短幅方向に対して栓刃４の長手方向を角度θ（取付板３の内角と等しい角度）だけ傾けて回動軸に軸着してある。これにより、図８（ｂ）に示すように取付板３を角度θだけ回動させて両端部を開口溝縁近傍３２ａに係合した状態において、栓刃４を配線ダクト３０の長手方向に対して略直交させることができる。
【００２８】
本実施形態によれば、取付板３と栓刃４が一体的に回動し、且つ９０度未満の回動角度で済むために操作性の向上が図れるという利点がある。
【００２９】
【発明の効果】
本発明は上述のように、長手方向に沿って略均一な幅寸法の開口溝を有するダクト本体内に給電用の１乃至複数の導体を配設した配線ダクトに上記開口溝の長手方向に沿った任意位置で着脱自在に取り付けられる配線ダクト用プラグであって、配線ダクトの上記開口溝に少なくとも一部が挿入されるプラグ本体と、該プラグ本体に設けられ上記導体に接触導通する接触子と、上記開口溝からダクト本体内に挿入されて該ダクト本体の開口溝縁近傍に係脱自在に係合してプラグ本体をダクト本体に取り付ける取付板とを備え、該取付板が何れかの内角が鋭角となる略平行四辺形の板状に形成され、上記開口溝への挿入方向と略直交する平面内で９０度未満の範囲にて回動自在に上記プラグ本体に設けられた回動軸に軸着されるとともに、該回動軸を回動操作するための取付板操作レバーがプラグ本体の側面に設けられたスライド溝からスライド移動自在に突出されたので、従来例のような略長方形の取付板と比較して、ダクト本体の開口溝縁近傍に係合する取付板の面積を増大させることができ、ダクト本体に対する取付保持力を大きくして耐荷重性能を向上させることが可能となるという効果がある。また、取付板を係合させるための取付板操作レバーの回動角度が９０度未満で済むために従来例よりも操作性の向上が図れるという効果がある。
【００３０】
請求項２の発明では、上記取付板が、上記ダクト本体への係合状態で該ダクト本体の内側面に一辺が当接するようにしているので、ダクト本体の開口溝縁近傍に係合する取付板の面積をさらに増大させて耐荷重性能をより向上させることができるという効果がある。
【図面の簡単な説明】
【図１】実施形態１を示し、（ａ）は配線ダクトに取り付けた状態の正面図、（ｂ）は同図（ａ）のＸ−Ｘ線断面矢視図である。
【図２】同上の外観斜視図である。
【図３】同上の取付板を収納した状態の上面図である。
【図４】同上の取付板を進出させた状態の上面図である。
【図５】同上の動作を説明するための説明図である。
【図６】同上の配線ダクトに取り付けた状態の斜視図である。
【図７】実施形態２を示し、（ａ）は配線ダクトに取り付けた状態の正面図、（ｂ）は同図（ａ）のＸ−Ｘ線断面矢視図である。
【図８】実施形態３を示し、（ａ）は取付板を係合していない状態の上面断面図、（ｂ）は取付板を係合した状態の上面断面図である。
【図９】従来例を示し、（ａ）は取付板を係合していない状態の上面断面図、（ｂ）は取付板を係合した状態の上面断面図である。
【符号の説明】
１  プラグ
２  プラグ本体
３  取付板
３ａ  端部
４  栓刃
３０  配線ダクト
３１  ダクト本体
３２  開口溝
３２ａ  開口溝縁近傍
【図１】
0003605290.tif 000002
【図２】
0003605290.tif 000003
【図３】
0003605290.tif 000004
【図４】
0003605290.tif 000005
【図５】
0003605290.tif 000006
【図６】
0003605290.tif 000007
【図７】
0003605290.tif 000008
【図８】
0003605290.tif 000009
【図９】
0003605290.tif 000010